(57)【特許請求の範囲】
【請求項１】
上下ケース１ａ・１ｂを突き合わせてなる本体ケース１を有し、
本体ケース１の内部に、テープ２が巻かれるリール３が回転自在に収容配置されており、
下ケース１ｂの側壁１０とリール３との間の内底面上に、平行な一対の案内規制リブ９・９が設けられるとともに、リール回り止め用のストッパー４が案内規制リブ９・９の案内下でリール３に接当係合するロック位置とリール３から外れるアンロック位置とにわたって案内規制リブ９・９間に移動自在に装着されており、
側壁１０とストッパー４との間に、ストッパー４をロック位置方向に押圧付勢する圧縮コイルばね５を介装してあり、
圧縮コイルばね５は、これの一端の座巻部１７の外径が、有効コイル部の外径よりも大きく、かつ前記案内規制リブ９・９の側壁１０との付け根部９ａ・９ａ間の間隔寸法Ａよりも大きく設定されており、
前記座巻部１７を前記案内規制リブ９・９の側壁１０との付け根部９ａ・９ａ間に圧入嵌合して固定するとともに、有効コイル部の外周を前記案内規制リブ９・９から離してあるテープカートリッジ。
【請求項２】
圧縮コイルばね５は円錐形状に形成され、このコイル径を大きくする側の座巻部１７が案内規制リブ９・９の付け根部９ａ・９ａ間に圧入固定されている請求項１記載のテープカートリッジ。
【発明の詳細な説明】
【０００１】
【発明の属する技術分野】
本発明は、不使用時にリールの回り止めを図るストッパーを備えたテープカートリッジに係り、ストッパーに作用する圧縮コイルばねの組み込み方に特徴を有するものである。
【０００２】
【従来の技術】
この種のテープカートリッジは、例えば、図４および図５に示すようなものがある（特公平７−７５１１３号公報）。図４はテープカートリッジのリール回り止め機構部分の平面図を、図５そのリール回り止め機構部分の縦断側面図をそれぞれ示しており、そこではプラスチック製の上下ケース１ａ・１ｂを突き合わせてなる本体ケース１の内部に、テープ２が巻かれる左右一対のリール３・３と、不使用時にリール３の回り止めを図るロック爪１３を有するストッパー４とが組み込まれている。
【０００３】
下ケース１ｂの背面側の側壁１０とリール３・３との間の内底面上には、左右一対の平行な案内規制リブ９・９が側壁１０の内面からリール方向へ走る形に形成されている。ストッパー４は案内規制リブ９・９間に嵌め込まれて、ロック爪１３がリール３の下フランジ３ａの外周の歯２０に接当係合する前方のロック位置と、歯２０から外れる後方のアンロック位置とにわたって前後方向に移動自在である。ストッパー４と側壁１０との間には圧縮コイルばね５が介装され、このばね作用で常にストッパー４を前方のロック位置方向へ押圧付勢している。
【０００４】
不使用時において、ストッパー４は前方のロック位置にあってロック爪１３がリール３に接当係合しており、この状態でリール３がテープ弛み方向に回転するのを規制している。デッキに装填すると、デッキ側のロック解除操作部材が、下ケース１ｂの内底面上の案内規制リブ９・９間に開口された操作口７からケース内に挿入してストッパー４の係合穴１４に係合し、圧縮コイルばね５のばね力に抗してストッパー４を後方のアンロック位置にまで移動させるようになっている。
【０００５】
かかるテープカートリッジでは、まず下ケース１ｂにリール３、ストッパー４、圧縮コイルばね５、その他の所要部品を組み込み、しかるのち下ケース１ｂに上ケース１ａを被せ付けるという手順で組み立てられる。
【０００６】
【発明が解決しようとする課題】
しかるに、圧縮コイルばね５は、これの一端の座巻部１９がストッパー４のばね受け突起１６に嵌合されて該ストッパー４に対して外れにくい状態に結合されてはいるが、その他端の座巻部１７が下ケース１ｂの側壁１０の内面に対して単に押圧接当されているに過ぎない。このため、自動組み立てに際し、リール３やストッパー４などを収容した下ケース１ｂが、ベルトコンベアなどに載せられて上ケース１ａを被せる工程にまで運搬されるとき、ベルトコンベアの振動などを受けると、圧縮コイルばね５が側壁１０の内面を上方へ滑り動き易く、これに伴いストッパー４も位置ずれを起こすため、組み立ての円滑化および迅速化に支障を来していた。
【０００７】
この対策として、例えば、下ケース１ｂの側壁１０の内面に凹部あるいは突起を設け、これら凹部あるいは突起に圧縮コイルばね５の座巻部１７を嵌合させることが考えられる。しかし、側壁１０の内面に突起を設ける方法では、下ケース１ｂの成形時に当該箇所がアンダカット部分となり、金型にスライドコアなどを取り付けて成形しなければならず、金型構造の複雑化を招き、また当該箇所が厚肉となってヒケを発生するなどの問題が生じる。また側壁１０の内面に凹部を設ける方法では、側壁１０の厚みはもともと厚くないため、圧縮コイルばね５の座巻部１７を嵌合するに充分な深さをもつ凹部を設けることは困難である。また凹部を設けると側壁１０の当該箇所が薄肉になるため、圧縮コイルばね５の反力で当該箇所が外方へ脹らみ状に反り変形し易くなり、特に高温環境下に置かれたときに、その反り変形が助長される。かかる変形量が大きいときは、例えばデッキへの出し入れに支障を来すという不具合が生じる。従って、かかる対策は得策とは言えない。
【０００８】
本発明の目的は、上記のような問題を解消するためになされたもので、ストッパーの圧縮コイルばねの下ケースに対する組み込み方に工夫を凝らすことにより組み立ての容易化を図れるテープカートリッジを提供することにある。
【０００９】
【課題を解決するための手段】
本発明のテープカートリッジは、図１および図２に示すごとく上下ケース１ａ・１ｂを突き合わせてなる本体ケース１を有し、この本体ケース１の内部に、テープ２が巻かれるリール３を回転自在に収容配置してある。下ケース１ｂの側壁１０とリール３との間の内底面上には、平行な一対の案内規制リブ９・９を設けるとともに、リール回り止め用のストッパー４が案内規制リブ９・９の案内下でリール３に接当係合するロック位置と、リール３から外れるアンロック位置とにわたって案内規制リブ９・９間に移動自在に装着されている。ストッパー４と側壁１０との間には、ストッパー４をロック位置方向に押圧付勢する圧縮コイルばね５を介装する。圧縮コイルばね５は、これの一端の座巻部１７を前記案内規制リブ９・９の側壁１０との付け根部９ａ・９ａ間に圧入嵌合して固定するとともに、有効コイル部の外周を前記案内規制リブ９から離間させてある。上記圧縮コイルばね５は円筒形状のもの、あるいは円錐形状のものを採用することができ、円錐形状の圧縮コイルばね５を採用する場合はそのコイル径が大きくなる側の座巻部１７を案内規制リブ９・９間に圧入固定する。
【００１０】
【作用】
下ケース１ｂ内において、圧縮コイルばね５は座巻部１７が案内規制リブ９・９の付け根部９ａ・９ａ間に圧入嵌合して固定されていると、下ケース１ｂに上ケース１ａを被せるまでの過程において、下ケース１ｂに振動など外力が加えられても、圧縮コイルばね５が下ケース１ｂ内で不用意に動くのを阻止でき、下ケース１ｂ内にストッパー４と共に安定よく保持される。
【００１１】
圧縮コイルばね５の固定には、ストッパー４の案内規制リブ９を利用しているので、それを固定するために案内規制リブ９・９とは別の突起や凹部などを下ケース１ｂに形成する必要がなく、しかも案内規制リブ９・９間にこれの上方からストッパー４と一緒に落とし込み装着するという簡単な組み付け方で足りる。圧縮コイルばね５は有効コイル部の外周を案内規制リブ９から離してあるので、ストッパー４をロック位置方向に押圧付勢するばね作用に何ら支障を来すことがない。
【００１２】
【発明の実施の形態】
図１および図２は本発明に係るテープカートリッジの一実施例を示す。テープカートリッジはプラスチック製の上ケース１ａと下ケース１ｂとを突き合わせてなり、これの内部左右にテープ２が巻かれるリール３・３を回転自在に収容配備してある。本体ケース１内の後方の左右中央部位に、ストッパー４と圧縮コイルばね５とを含むリール回り止め機構が配備される。
【００１３】
下ケース１ｂ内の後方の左右中央部位の底壁６には前後方向に長い操作孔７を開口し、この底壁６の内面上に該操作孔７をはさんで左右平行に走る一対の案内規制リブ９・９を側壁１０の内面から前方へ真っ直ぐに向けて一体に立設してある。各案内規制リブ９の前端は、底壁６の内面上にリール３の外周を囲むよう立設したリール移動規制リブ１１に連設してある。
【００１４】
一対の平行な案内規制リブ９・９間に、ストッパー４が組み込まれる。ストッパー４は、スライドブロック１２と、この前端から前方へ八字状に突設した拡縮変形自在な左右一対のロック爪１３・１３とを有するプラスチック成形品である。スライドブロック１２の下面には前記操作孔７を介してデッキ側のロック解除操作部材の係入を許す係合穴１４が形成され、スライドブロック１２の後面には凹部１５が形成され、この凹部１５内にばね受け突起１６が形成されている。圧縮コイルばね５は円錐形状に形成され、コイル径の大きい側の座巻部１７の外径は前記案内規制リブ９・９の側壁１０との付け根部９ａ・９ａ間の間隔寸法Ａよりも少し大きく設定されている。この圧縮コイルばね５は下ケース１ｂ内に組み込まれる前に、予めストッパー４のばね受け突起１６にコイル径の小さい側の座巻部１９を嵌合することで予め両者が一体的に仮り組みされている。
【００１５】
かくして、このテープカートリッジを組み立てるには、先ずリール３を下ケース１ｂに組み込み、次いで予め前述の要領で圧縮コイルばね５を組み付けたストッパー４を案内規制リブ９・９間にこれの上方から落とし込み装着するとともに、圧縮コイルばね５のコイル径の大きい側の座巻部１７を、案内規制リブ９・９の付け根部９ａ・９ａ間に圧入嵌合して固定する。座巻部１７の圧入嵌合によって座巻部１７が少し縮み、付け根部９ａ・９ａとの接触面間で接触圧力が生じ、圧縮コイルばね５は振動など外力が加われば付け根部９ａ・９ａとの摩擦力によってこれに充分に抵抗することができる。その際、図示例のように座巻部１７の端面を側壁１０の内面にも接触させてあると、この座巻部１７と側壁１０の内面との接触面間でも接触圧力が生じ、より一層強固な固定状態が得られる。
【００１６】
このようにストッパー４および圧縮コイルばね５を下ケース１ｂ内に組み付けると、圧縮コイルばね５がストッパー４と側壁１０との間に安定よく確実に保持されるとともに、その有効コイル部の外周が案内規制リブ９・９から離れた状態となる。従って、圧縮コイルばね５はストッパー４を前方へ常に押圧付勢し、ロック爪１３がリール３の下フランジ３ａの歯２０に接当係合するロック状態とする。
【００１７】
また、未だ上ケース１ａを被せていない下ケース１ｂが振動など外力を受けても、圧縮コイルばね５は座巻部１７と案内規制リブ９・９の付け根部９ａ・９ａとの接触面間で生じる摩擦力でその外力に対抗し、下ケース１ｂ内で動じるようなことがなく、安定した状態に保持される。従って、上ケース１ａを下ケース１ｂに蓋合わせ状に被せてねじ等で一体的に結合する次工程までの過程では、ストッパー４および圧縮コイルばね５が不用意に下ケース１ｂ内で動くのをよく防止でき、組み立てをスムーズに進行させることができる。
【００１８】
図３は他の実施例を示しており、この実施例では圧縮コイルばね５として円筒形状のものを採用する。この圧縮コイルばね５の側壁１０に接する座巻部１７の外径は有効コイル部の外径よりも大きく、かつ案内規制リブ９・９の付け根部９ａ・９ａ間の間隔寸法Ａよりも少し大きく設定して、その座巻部１７を付け根部９ａ・９ａ間に圧入嵌合してある。
【００２０】
【発明の効果】
本発明のテープカートリッジによれば、圧縮コイルばね５の座巻部１７を案内規制リブ９・９の付け根部９ａ・９ａ間に圧入嵌合するという簡単な手段で、組み立ての容易化を図ることができる。
【図面の簡単な説明】
【図１】  リール回り止め機構部分を示す要部の平面図である。
【図２】  要部の縦断側面図である。
【図３】  他の実施例を図１に相応して示す平面図である。
【図４】  従来例のリール回り止め機構部分の平面図である。
【図５】  従来例の縦断側面図である。  
【符号の説明】
１  本体ケース
２  テープ
３  リール
４  ストッパー
５  圧縮コイルばね
９  案内規制リブ
１０  側壁
１７  座巻部
【図１】
0003670464.tif 000002
【図２】
0003670464.tif 000003
【図３】
0003670464.tif 000004
【図４】
0003670464.tif 000005
【図５】
0003670464.tif 000006